(57)【要約】【課題】構造が簡単でロックする操作も簡単であり、しかも種々の使い方が可能なロック機構を提供すること。【解決手段】板紙の両端付近を重ねて貼り合わせた筒状体における重畳部分に一部が互いに重なるように設けられた外側パネル３と内側パネル４の組合せからなり、両パネル３，４はそれぞれ後方の折線部分ａ，ｂのところで互いに向かい合って折れ曲がるヒンジ回動式で、筒状体の外部から外側パネル３を押し上げることにより、両パネル３，４は立体的に交差して互いの支持部が互いの一部を支えてテント型の起立形状を維持する。構造が簡単であって、しかも外側パネル３を押し上げるだけという簡単な操作で係止状態にすることができる。【選択図】図１
2008213894.tif 000002
【特許請求の範囲】
【請求項１】
板紙の両端付近を重ねて貼り合わせた筒状体における重畳部分に一部が互いに重なるように設けられた外側パネルと内側パネルの組合せからなり、両パネルはそれぞれ後方の折線部分のところで互いに向かい合って折れ曲がるヒンジ回動式で、両パネルにはともに双方の一部を支え合う支持部があり、外側パネルには回動時に内側パネルを起こし上げる突起部があり、筒状体の外部から外側パネルを押し上げることにより、内側パネルが外側パネルの突起部に押されて起き上がり、両パネルの回動が進んで互いの重なりがなくなると、内側パネルは外側パネルの支えを失って外側パネルの支持部まで落下し、両パネルは立体的に交差して互いの支持部が互いの一部を支えてテント型の起立形状を維持することを特徴とするロック機構。
【発明の詳細な説明】
【技術分野】
【０００１】
本発明は、板紙や樹脂シートで作製される紙器の技術分野に属し、詳しくは、紙器における要素技術としてのロック機構に関するものである。
【背景技術】
【０００２】
従来より、ビン、缶、カップ、トレー等を複数まとめて束ねる場合に外装用の紙器が用いられており、このような紙器においては束ねた中身（容器又はインナーケース）が不用意に外れるのを防止するロック機構が採られている。例えば、予め係止片を折り曲げながら中身を挿入したり、中身の充填と同時に外装の一部を折り曲げながら係止させたりするものがある。また、外装スリーブに内容器の一部をスリットや開口部を設けて露出させることで固定するものも知られている。
【特許文献１】特開２００１−１８０６５５号公報
【特許文献２】特許第３２３６０５９号公報
【特許文献３】特許第３０６６１１１号公報
【特許文献４】特開２００３−２００９６７号公報
【発明の開示】
【発明が解決しようとする課題】
【０００３】
上記したような紙器におけるロック機構のうち、予め係止片を折り曲げながら中身を挿入したり、中身の充填と同時に外装の一部を折り曲げながら係止させたりするものは、複雑な構造や煩雑な工程が課題であった。また、外装スリーブに内容器の一部をスリットや開口部を設けて露出させることで固定するものは、外装スリーブに係止用の孔が開くため意匠性に劣るという問題点もあった。
【０００４】
本発明は、このような問題点に鑑みてなされたものであり、その目的とするところは、構造が簡単でロックする操作も簡単であり、しかも種々の使い方が可能なロック機構を提供することにある。
【課題を解決するための手段】
【０００５】
上記の目的を達成するため、本発明のロック機構は、板紙の両端付近を重ねて貼り合わせた筒状体における重畳部分に一部が互いに重なるように設けられた外側パネルと内側パネルの組合せからなり、両パネルはそれぞれ後方の折線部分のところで互いに向かい合って折れ曲がるヒンジ回動式で、両パネルにはともに双方の一部を支え合う支持部があり、外側パネルには回動時に内側パネルを起こし上げる突起部があり、筒状体の外部から外側パネルを押し上げることにより、内側パネルが外側パネルの突起部に押されて起き上がり、両パネルの回動が進んで互いの重なりがなくなると、内側パネルは外側パネルの支えを失って外側パネルの支持部まで落下し、両パネルは立体的に交差して互いの支持部が互いの一部を支えてテント型の起立形状を維持することを特徴としている。
【発明の効果】
【０００６】
本発明のロック機構は、筒状体を形成する板紙の両端部に外側パネルと内側パネルを区画しておくだけで形成することができ、使用時に際しては、筒状体の外部から外側パネルを押し上げると、内側パネルも一緒に押し上げられ、これらが互いに交差して支え合う状態になるので、構造が簡単であって、しかも外側パネルを押し上げるだけという簡単な操作で係止状態にすることができる。そして、筒状体を形成する紙器においてロック機構が必要な種々の局面で幅広く利用することができる。
【発明を実施するための最良の形態】
【０００７】
次に、本発明の実施の形態について図面を参照しながら詳細に説明する。
【０００８】
図１は本発明に係るロック機構の一例をロック状態で示す斜視図、図２は図１に示すロック機構の係止手順を図１のＡ−Ａ断面に対応して示す説明図、図３と図４は図１に示すロック機構の要部を示す説明図である。なお、本発明で言う板紙は、いわゆる紙器用板紙を始めとして、これに準じて使用される樹脂シートやその他のシート状物も含む。
【０００９】
図１は板紙の両端付近を重ねて貼り合わせた筒状体における重畳部分の一部を示しており、１は外側の板紙で２は内側の板紙である。そして、この重畳部分には外側パネル３と内側パネル４が設けられており、両パネル３，４はそれぞれ後方の折線部分ａ，ｂのところで互いに向かい合って折れ曲がるもので、この図１では立体的に交差してロックされた状態になっている。
【００１０】
図２（ａ），（ｂ）を参照すれば分かるように、図１のロック機構は、筒状体における重畳部分に一部が互いに重なるように設けられた外側パネル３と内側パネル４の組合せからなり、両パネル３，４はそれぞれ後方の折線部分ａ，ｂのところで互いに向かい合って折れ曲がるヒンジ回動式である。そして、図３及び図４を参照すれば分かるように、両パネル３，４にはともに双方の一部を支え合う支持部５，６があり、外側パネル３には回動時に内側パネル４を起こし上げる突起部７がある。
【００１１】
このロック機構は、図２（ａ）に示すロック開始前の状態から、図２（ｂ）に示す如く筒状体の外部から外側パネル３を押し上げることにより、図２（ｃ）に示すように内側パネル４が外側パネル３の突起部７に押されて起き上がり、図２（ｄ）に示す如く両パネル３，４の回動が進んで互いの重なりがなくなると、内側パネル４は外側パネル３の支えを失って外側パネル３の支持部５まで落下し、図２（ｅ）に示すように両パネル３，４は立体的に交差して互いの支持部５，６が互いの一部を支えることでテント型の起立形状を維持する。
【００１２】
本発明のロック機構における外側パネルと内側パネルは、ともに双方の一部を支え合う形状であるとともに、外側パネルは回動時に内側パネルを起こし上げる突起部を有する形状であればよく、例えば図５、図６及び図７に示すような種々の形を採り得る。
【００１３】
図５（ａ）〜（ｄ）はそれぞれ外側パネル３と内側パネル４の組合せ例を示すものであるが、外側パネル３と内側パネル４の形状は図示したものと逆の組合せでもよい。
【００１４】
図６（ａ），（ｂ）は外側パネル３の突起部７が内側パネル４に設けた孔４ａに入り込む場合を例示しており、図７（ａ），（ｂ），（ｃ）は外側パネル３と内側パネル４が同じ形の場合を例示している。
【００１５】
このように、外側パネル３と内側パネル４は種々の形状を採り得るが、それらの支持部は点より線状になっていた方が安定し、双方の支持部が線同士であると最も安定する。すなわち、支持部は点で接触するより線で接触する方が安定する。
【００１６】
本発明のロック機構は、種々の形態で利用できるものであり、以下にその代表的なものを例示する。
【００１７】
図８は本発明のロック機構を適用したカップ容器の集積包装体を示す斜視図である。この集積包装体は、筒状体である外装スリーブ１０により被係止物である２個のカップ容器Ｃを包み込み、左右それぞれのカップ容器Ｃの側壁下端に隣接してロック機構を設けることで、カップ容器Ｃが外装スリーブ１０からずれ落ちないようにしたものである。
【００１８】
外装スリーブ１０は、底部が筒状体の重畳部分で、その重畳部分における外側の板紙１１と内側の板紙１２にそれぞれ外側パネル１３と内側パネル１４が設けられている。そして、両パネル１３，１４がそれぞれ後方の折線部分のところで互いに向かい合って折れ曲がり、立体的に交差してロックされた状態になっている。この集積包装体は、外装スリーブ１０でカップ容器Ｃを包み込んでから、外部から外側パネル１３を押し上げるだけの簡単な操作で図示の如き係止状態にすることができる。
【００１９】
図９は本発明のロック機構を適用したトレースライド式のパッケージを示す斜視図である。このパッケージは、筒状体であるケース２０の中に成形品のトレーＴをスライド可能に収納したもので、トレーＴの底部に凹状の溝ｔを形成するとともに、この溝ｔに入るロック機構を設けることで、トレーＴのスライド量を規制したものである。
【００２０】
ケース２０は、底部が筒状体の重畳部分で、その重畳部分における外側の板紙と内側の板紙にそれぞれ外側パネル２３と内側パネル２４が設けられている。そして、両パネル２３，２４がそれぞれ後方の折線部分のところで互いに向かい合って折れ曲がり、立体的に交差してロックされた状態になっている。このパッケージは、ケース２０の中にトレーＴを入れてから、外部から外側パネル２３を押し上げるだけの簡単な操作で図示の如き案内状態にすることができる。
【００２１】
図１０は本発明のロック機構を適用したカップ容器のスリーブ包装体を示す斜視図である。このスリーブ包装体は、筒状体である外装スリーブ３０により被係止物である１個のカップ容器Ｃを包み込み、カップ容器Ｃの糸尻空間部に対応するロック機構を設けることで、カップ容器Ｃが外装スリーブ３０から外れないようにしたものである。
【００２２】
外装スリーブ３０は、カップ容器Ｃの幅に合わせた帯状の板紙が用いられており、底部が筒状体の重畳部分で、その重畳部分における外側の板紙３１と内側の板紙３２にそれぞれ外側パネル３３と内側パネル３４が設けられており、図１１を見ればより分かるように、外側パネル３３が小さな凸型であるのに対し、内側パネル３４はカップ底の糸尻空間より一回り小さい形状としている。そして、両パネル３３，３４がそれぞれ後方の折線部分のところで互いに向かい合って折れ曲がり、立体的に交差してロックされた状態になっている。なお、外側パネル３３の方がカップ底の糸尻空間より一回り小さい形状となっていてもよい。
【００２３】
このように、外側パネル３３又は内側パネル３４の何れかがカップ底の糸尻空間より一回り小さい形状となっているため、外からはロック機構が目立たない上に、カップ容器Ｃと外装スリーブ３０との相対的な動きが抑制されたものとなる。このスリーブ包装体は、外装スリーブ３０でカップ容器Ｃを包み込んでから、外部から外側パネル３３を押し上げるだけの簡単な操作で図示の如き係止状態にすることができる。
【００２４】
図１２は図１０に示したスリーブ包装体の変形例を示す斜視図である。このスリーブ包装体は、外側パネル３３を小さな凸型とし、内側パネル３４をカップ底の糸尻空間より一回り小さい形状としている点は図１０と同じであるが、カップ容器Ｃの幅より狭い帯状の板紙が用いられており、内側パネル３４は筒状体の重畳部分より左右に突出して形成されている。したがって、スリーブ３０の幅がカップ容器Ｃより狭くても、カップ容器Ｃと外装スリーブ３０との相対的な動きが抑制されたものとなり、意匠性の高いスリーブ包装体を形成できる。
【００２５】
以上、本発明の実施の形態について詳細に説明してきたが、本発明によるロック機構は、上記実施の形態に何ら限定されるものではなく、本発明の趣旨を逸脱しない範囲において種々の変更が可能であることは当然のことである。
【図面の簡単な説明】
【００２６】
【図１】本発明に係るロック機構の一例をロック状態で示す斜視図である。
【図２】図１に示すロック機構の係止手順を図１のＡ−Ａ断面に対応して示す説明図である。
【図３】図１に示すロック機構の要部を示す説明図である。
【図４】図１に示すロック機構の要部を示す説明図である。
【図５】本発明のロック機構における外側パネルと内側パネルの組合せ例を示す説明図である。
【図６】本発明のロック機構における外側パネルと内側パネルの組合せ例を示す説明図である。
【図７】本発明のロック機構における外側パネルと内側パネルの組合せ例を示す説明図である。
【図８】本発明のロック機構を適用したカップ容器の集積包装体を一部切欠状態で示す斜視図である。
【図９】本発明のロック機構を適用したトレースライド式のパッケージを一部切欠状態で示す斜視図である。
【図１０】本発明のロック機構を適用したカップ容器のスリーブ包装体を示す斜視図である。
【図１１】図１０のスリーブ包装体におけるスリーブを一部切欠状態で示す斜視図である。
【図１２】図１０に示したスリーブ包装体の変形例を示す斜視図である。
【符号の説明】
【００２７】
１，２  板紙
３  外側パネル
３ａ  孔
４  内側パネル
４ａ  孔
５，６  支持部
７  突起部
１０  外装スリーブ
１１，１２  板紙
１３  外側パネル
１４  内側パネル
２０  ケース
２３  外側パネル
２４  内側パネル
３０  外装スリーブ
３１，３２  板紙
３３  外側パネル
３４  内側パネル
Ｃ  カップ容器
Ｔ  トレー
ａ，ｂ  折線
ｔ  溝
【図１】
2008213894.tif 000003
【図２】
2008213894.tif 000004
【図３】
2008213894.tif 000005
【図４】
2008213894.tif 000006
【図５】
2008213894.tif 000007
【図６】
2008213894.tif 000008
【図７】
2008213894.tif 000009
【図８】
2008213894.tif 000010
【図９】
2008213894.tif 000011
【図１０】
2008213894.tif 000012
【図１１】
2008213894.tif 000013
【図１２】
2008213894.tif 000014